(57)【要約】      （修正有）【課題】使用者の使用上の利便性および製造上の簡易性を向上させ、また、木材を使用しなくても、木材で製造された包装箱体構造に相当する、またはそれより優れた積載強度を実現できる包装箱体構造を提供する。【解決手段】包装箱体構造の改良に関し、外周抵抗ユニット２０が外箱体の内部収容空間に収容して設けられ、内部収容空間の内壁に保持されており、箱盖体３０は外箱の上部を覆うように設けられ、外周抵抗ユニットのハニカム集合抵抗板２１１および箱盖体内層部のハニカム板によって、包装箱体構造に対し安定した支持力を提供するとともに外力の衝撃に抵抗することができる。また、主な構造は再生紙によって製造され、使用上の利便性および環境性に優れるという効果をもたらす。【選択図】図３
0003197769.tif 000002
【実用新案登録請求の範囲】
【請求項１】
外層部および内層部が設けられ，外層部と内層部が互いに結合しており、角にそれぞれ挿入口が設けられている底板体と、
外周抵抗ユニットであって、前記外周抵抗ユニットには、複数の第１外周抵抗板と、複数の第２外周抵抗板と、複数の挿通体とが設けられ、前記第１外周抵抗板および前記第２外周抵抗板は、それぞれ波形板とハニカム集合抵抗板とが互いに結合しており、第１外周抵抗板の両側の端辺の中段には位置決め挿通管が設けられており、第２外周抵抗板の両側の端辺の上側、下側にはそれぞれ枢着挿通管が設けられており、前記複数の第１外周抵抗板の位置決め挿通管は複数の第２外周抵抗板の枢着挿通管と対応して、前記複数の挿通体がそれぞれ挿通することで固定され、各挿通体の両端は、それぞれ第２外周抵抗板に設けられた枢着挿通管を通り抜けており、外周抵抗ユニットの下側が底板体に固定して設置され、挿通体が第２外周抵抗板に設けられた枢着挿通管の下端を通り抜けて、底板体の角に設けられた挿入口に挿通して固定される、外周抵抗ユニットと、
蓋体であって、前記蓋体には外層部および内層部が設けられ、外層部と内層部は互いに結合しており、蓋体の角にはそれぞれ挿入口が設けられ、蓋体は外周抵抗ユニットの上部に設けられ、挿通体が第２外周抵抗板に設けられた枢着挿通管の上端を通り抜けて、蓋体の角に設けられた挿入口に挿通して固定される、蓋体と
を含む、改良された包装箱体構造。
【請求項２】
前記底板体の外層部は再生紙で製造された波形板であり、内層部はハニカム集合抵抗板である、請求項１に記載の改良された包装箱体構造。
【請求項３】
前記外周抵抗ユニットの前記波形板は再生紙で製造される、請求項１に記載の改良された包装箱体構造。
【請求項４】
前記外周抵抗ユニットの挿通体は再生紙で製造された波形板である、請求項１に記載の改良された包装箱体構造。
【請求項５】
蓋体の外層部は再生紙で製造された波形板であり、内層部はハニカム集合抵抗板である、請求項１に記載の改良された包装箱体構造。
【請求項６】
前記波形板の波形は横波状である、請求項１に記載の改良された包装箱体構造。
【請求項７】
前記底板体、前記外周抵抗ユニットおよび前記蓋体の材料はいずれも紙素材である、請求項１に記載の改良された包装箱体構造。
【請求項８】
前記紙素材は再生紙素材である、請求項７に記載の改良された包装箱体構造。
【考案の詳細な説明】
【技術分野】
【０００１】
本考案は、包装箱体構造の改良に関し、特に、高い強度を有する包装箱体構造の改良に関する。
【背景技術】
【０００２】
従来の周知の包装箱体構造は図１に示す通りである。包装箱体構造４０は、柵板４１と、複数の外箱板体４２(図面ではそのうちの一面のみ表示)と、天板４３とによって構成される。使用者が貨物５０を柵板４１に載置してから、柵板４１の周囲に複数の外箱板体４２を固定して設置し、さらに、外箱板体４２で囲んで形成された包装箱体の上面に天板４３を結合させることで、貨物５０の運送用の梱包として使用されている。しかしながら、周知の包装箱体構造４０は、柵板４１に貨物５０を縦に置いてから、柵板４１の周囲に複数の外箱板体４２を固定して設置し、さらに、周囲に外箱板体４２で囲んで形成された箱体の上面に、天板４３を結合させているが、柵板４１、外箱板体４２および天板４３を装丁方式によって組み立てて結合しているため、包装箱体構造４０全体の使用において利便性が損なわれている。
【０００３】
また、周知の包装箱体構造４０の柵板４１、外箱板体４３および天板４３はいずれも木材を基準としており、大量の森林樹木を伐採する必要があることから、生態環境の破壊を引き起こすため、環境性に劣る。また、木材で製造される柵板４１、外箱板体４２および天板４３は、さらに加熱処理または無煙燻蒸の加工処理が必要であるため、これにより、包装箱体構造４０全体の製造において更に困難が増加している。
【０００４】
上述したように周知の包装箱体構造の問題がある。したがって、どのように包装箱体構造を改良して、使用者の使用上の利便性および製造上の簡易性を向上させるかということは、まさに当業者が解決しようとする課題の一つである。
【先行技術文献】
【特許文献】
【０００５】
【特許文献１】特開２００７−０１５７２１号公報
【考案の概要】
【考案が解決しようとする課題】
【０００６】
以上の問題を鑑みて、本考案の主な目的は、使用者の使用上の利便性および製造上の簡易性を向上させる包装箱体構造の改良を提供することである。
また、本考案のもう一つの目的は、木材を使用しなくても、木材で製造された包装箱体構造に相当する、またはそれより優れた積載強度を実現できる包装箱体構造の改良を提供することである。
【課題を解決するための手段】
【０００７】
上述した目的に基づいて、本考案の包装箱体構造の改良では、底板体と、外周抵抗ユニットと、蓋体とを有する。前記底板体には、外層部および内層部が設けられ、外層部と内層部は互いに結合しており、底板体の角にはそれぞれ挿入口が設けられている。前記外周抵抗ユニットには、複数の第１外周抵抗板、複数の第２外周抵抗板および複数の挿通体が設けられ、前記第１外周抵抗板および前記第２外周抵抗板は、それぞれ波形板とハニカム集合抵抗板とが互いに結合しており、第１外周抵抗板の両側の端辺の中段には位置決め挿通管が設けられ、第２外周抵抗板の両側の端辺の上側、下側にはそれぞれ枢着挿通管が設けられており、前記複数の第１外周抵抗板の位置決め挿通管は、複数の第２外周抵抗板の枢着挿通管と対応して、前記複数の挿通体がそれぞれ挿通することで固定され、各挿通体の両端はそれぞれ第２外周抵抗板に設けられた枢着挿通管を通り抜けており、外周抵抗ユニットの下側は底板体に固定して設置され、挿通体が第２外周抵抗板に設けられた枢着挿通管の下端を通り抜けて、底板体の角に設けられた挿入口に挿通して固定される。前記蓋体には、外層部および内層部が設けられ、外層部と内層部は互いに結合しており、蓋体の角にはそれぞれ挿入口が設けられている。蓋体は外周抵抗ユニットの上部に設けられ、挿通体が第２外周抵抗板に設けられている枢着挿通管の上端を通り抜けて、蓋体の角に設けられた挿入口に挿通して固定される。
【０００８】
本考案の一実施例において、前記底板体の外層部は再生紙で製造された波形板であり、内層部はハニカム集合抵抗板である。
本考案の一実施例において、前記外周抵抗ユニットの前記波形板は再生紙で製造される。
本考案の一実施例において、前記外周抵抗ユニットの挿通体は再生紙で製造された波形板である。
本考案の一実施例において、前記蓋体の外層部は再生紙で製造された波形板であり、内層部はハニカム集合抵抗板である。
本考案の一実施例において、前記波形板の波形は横波状である。これにより、波形板全体の強度を向上させることができる。
本考案の一実施例において、前記底板体、前記外周抵抗ユニットおよび前記蓋体の材料は紙素材である。
【０００９】
本考案の効果は以下のとおりである。外周抵抗ユニットのハニカム集合抵抗板および盖体の内層部の多孔質板が、包装箱体構造に対し安定した支持力を提供するとともに外力による衝撃に抵抗でき、また、主な構造が再生紙で製造されていることにより、使用上の利便性、環境保護および製造上の簡易性という点において効果をもたらす。
【００１０】
また、本考案の構造および組み合わせにより、すべての構造が紙素材または再生紙で製造された実施例において、木材を一切使用しなくても、木材で製造された包装箱体構造の積載強度に相当する、またはそれより優れた効果を奏することができる。
【図面の簡単な説明】
【００１１】
【図１】周知の包装箱体構造の構造を示す図である。
【図２】本考案の実施例における包装箱体構造の改良の外観の模式図である。
【図３】本考案の実施例における包装箱体構造の改良の模式的な分解斜視図である。
【図４】本考案の実施例における包装箱体構造の改良の断面および一部拡大の模式図である。
【図５】本考案の実施例における外周抵抗ユニットの第１外周抵抗板および第２外周抵抗板の延伸連結状態の模式図である。
【図６】本考案の実施例における包装箱体構造の改良で、貨物を収納した使用状態の模式図である。
【考案を実施するための形態】
【００１２】
本考案をさらに明確に理解するため、以下において、本考案の複数の具体的な実施例を図面と結合して説明する。図面に示す部材の形状、サイズ、割合等は模式的なものに過ぎず、本考案の実施範囲に対して制限を加えるものではない。また、以下の説明内容に記載されている実施形態のいずれにおいても、同時に複数の技術特徴が開示されているが、実施形態のいずれにおいても全ての技術特徴を同時に実施する必要があることを意味するものでもない。
【００１３】
図２〜図４を参照されたい。それぞれ本考案の一実施例の包装箱体構造の改良における外観、分解、断面および一部拡大を模式的に示す図である。包装箱体構造の改良では、底板体１０と、外周抵抗ユニット２０と、蓋体３０とを有する。
【００１４】
底板体１０には、外層部１１および内層部１２が設けられ、外層部１１と内層部１２は互いに結合しており、底板体１０の角にはそれぞれ挿入口１３が設けられている。底板体の外層部１１は再生紙で製造された波形板であり、内層部１２はハニカム集合抵抗板である。
【００１５】
外周抵抗ユニット２０には、複数の第１外周抵抗板２１と、複数の第２外周抵抗板２２と、複数の挿通体２３とが設けられている。前記第１外周抵抗板２１および前記第２外周抵抗板２２はそれぞれ、波形板２１０、２２０とハニカム集合抵抗板２１１、２２１とが互いに結合している。波形板２１０、２２０は再生紙で製造される。
【００１６】
第１外周抵抗板２１の両側の端辺の中段には位置決め挿通管２１２が設けられ、第２外周抵抗板２２の両側の端辺の上側、下側にはそれぞれ枢着挿通管２２２が設けられている。複数の第１外周抵抗板２１の位置決め挿通管２１２は、複数の第２外周抵抗板２２の枢着挿通管２２２と対応して、前記複数の挿通体２３がそれぞれ挿通することで固定される。なお、各挿通体２３の両端は、それぞれ第２外周抵抗板２２に設けられた枢着挿通管２２２を通り抜けている。挿通体２３は再生紙で製造された波形板である。外周抵抗ユニット２０の下側は底板体１０に固定して設置され、挿通体２３は第２外周抵抗板２２に設けられた枢着挿通管２２２の下端を通り抜けて、底板体１０の角に設けられた挿入口１３に挿通して固定される。
【００１７】
蓋体３０には、外層部３１および内層部３２が設けられ、外層部３１と内層部３２は互いに結合しており、蓋体３０の角にはそれぞれ挿入口３３が設けられる。蓋体３０は外周抵抗ユニット２０の上部に固定して設置され、挿通体２３が第２外周抵抗板２２に設けられた枢着挿通管２２２の上端を通り抜けて蓋体３０の角に設けられた挿入口３３に挿通し固定される。
【００１８】
上記構造の組み合わせによって、本考案の包装箱体構造の改良を実現する。図２〜図６を参照されたい。それぞれ本考案の一実施例の包装箱体構造の改良の外観、斜視分解断面および拡大された一部、外周抵抗ユニットの第１外周抵抗板および第２外周抵抗板の延伸連結状態、並びに改良した包装箱体構造に貨物を収容している使用状態を模式的に示す図である。
【００１９】
底板体１０は、外周抵抗ユニット２０の下側に固定して設置され、外周抵抗ユニット２０の挿通体２３は、第２外周抵抗板２２に設けられた枢着挿通管２２２の下端を通り抜けて、底板体１０の角に設けられた挿入口１３に挿通して固定される。また、蓋体３０は、外周抵抗ユニット２０の上部に固定して設置され、外周抵抗ユニット２０の挿通体２３は、第２外周抵抗板２２に設けられた枢着挿通管２２２の上端を通り抜けて、蓋体３０の角に設けられた挿入口３３に挿通して固定される。底板体１０、外周抵抗ユニット２０および蓋体３０は波形板をハニカム集合抵抗板と結合させたことで、包装箱体構造に対し安定した支持力を提供するとともに、外力の衝撃に抵抗することができる。また、底板体１０、外周抵抗ユニット２０および蓋体３０がいずれも紙素材で製造されている実施例において、木材を一切使用しなくても、すべて木材で製造された包装箱体構造の積載強度もしくは外力に対抗する強度と相当する、またはそれより優れた効果をもたらすことができる。
【００２０】
また、外周抵抗ユニット２０の第１外周抵抗板２１に設けられた位置決め挿通管２１２は、第２外周抵抗板２２に設けられた枢着挿通管２２２と対応して、複数の挿通体２３が挿通して固定されていることから、外周抵抗ユニット２０を、需要に応じて延伸し、または異なるサイズの底板体１０および蓋体３０に組み合わせて変化させることができ、構造の可変性が高く使用上の利便性に優れるという効果を実現する。
【００２１】
本考案の実施形態は上述のように開示されているが、本考案を限定するものではない。本考案を逸脱しない趣旨および範囲内において、いかなる当業者であれ、およそ本考案の出願書類の範囲に記載されている形状、構造、特徴および数量に基づき若干の変更を行うことが可能である。したがって、本考案の保護範囲は、本明細書に添付の登録請求の範囲において定義されたものが基準であると見なされるべきである。
【符号の説明】
【００２２】
１０：底板体      １１：外層部      １２：内層部      １３：挿入口
２０：外周抵抗ユニット      ２１：第１外周抵抗ユニット
２１０：波形板      ２１１：ハニカム集合抵抗板      ２１２：位置決め挿通管
２２：第２外周抵抗ユニット      ２２０：波形板
２２１：ハニカム集合抵抗板      ２２２：枢着挿通管
２３：挿通体
３０：蓋体      ３１：外層部      ３２：内層部      ３３：挿入口
４０：包装箱体構造      ４１：柵板      ４２：外箱板体      ４３：天板
【図１】
0003197769.tif 000003
【図２】
0003197769.tif 000004
【図３】
0003197769.tif 000005
【図４】
0003197769.tif 000006
【図５】
0003197769.tif 000007
【図６】
0003197769.tif 000008